(57)【要約】【課題】簡易な本体で容易に機能を拡張させ、可視性、操作性を共に向上させる画像形成装置を提供する。【解決手段】通信端末装置５０１を装着するための接続部５００が設けてあり、通信端末装置５０１を接続部５００に置くことで、複写機本体１と接続される。通信端末装置５０１が複写機本体１と接続されることで、外部との通信を通信端末装置５０１が行うことができる。複写機本体１が通信端末装置５０１の接続されると、制御ソフトを通信端末装置５０１に転送することで、複写機本体１の制御を通信端末装置５０１で行うことができる。【選択図】        図１
2004172675.tif 000002
【特許請求の範囲】
【請求項１】
携帯電話等の通信端末装置の装着手段を有する画像形成装置において、
前記通信端末装置が前記画像形成装置に装着されたか否かを検知する検知手段と、
前記検知手段によって前記通信端末装置が前記画像形成装置に装着されたと検知した時に、前記画像形成装置が制御ソフトを前記通信端末装置に転送する転送手段と、
前記転送手段によって転送された前記制御ソフトを実行する実行手段と、
前記実行手段によって、前記制御ソフトが実行されることで、前記画像形成装置のファクシミリ機能とネットワーク機能が有効になることを特徴とする画像形成装置。
【請求項２】
前記転送手段は、前記制御ソフトを前記通信端末装置に転送することで、前記画像形成装置の制御を前記通信端末装置側の主導に切り替えることを特徴とする請求項１記載の画像形成装置。
【請求項３】
前記転送手段は、前記制御ソフトを前記通信端末装置に転送することで、前記通信端末装置の表示画面に制御が移ることを特徴とする請求項１または２記載の画像形成装置。
【請求項４】
前記転送手段は、前記制御ソフトを前記通信端末装置に転送することで、前記通信端末装置の操作キーに制御が移ることを特徴とする請求項１から３のいずれか１項に記載の画像形成装置。
【請求項５】
前記通信端末装置は、前記通信端末装置に記憶されている住所録といった宛先情報、通信情報等を前記画像形成装置に通知することで前記画像形成装置の操作キーの割り当てを設定することを特徴とする請求項４記載の画像形成装置。
【請求項６】
前記転送手段は、コピーやスキャナ等を制御する制御ソフトを前記画像形成装置に装着された前記通信端末装置に転送することで、前記コピーや前記スキャナ等の制御を通信端末側の主導にすることを特徴とする請求項４記載の画像形成装置。
【発明の詳細な説明】
【０００１】
【発明の属する技術分野】
本発明はデジタル複合装置に関し、特に、通信端末装置と連携するファクシミリ、デジタルコピア、イメージスキャナ等の画像形成装置に関する。
【０００２】
【従来の技術】
図４は、ファクシミリ装置を備えた複合デジタル複写機の従来例を示した図である。
デジタル複写機は、複写機本体１、自動原稿送り装置（以下ＡＤＦ）１００、３ビンソーター２００、給紙ユニット（以下バンク）３００を有する。
複写機本体１は、スキャナ、画像処理部およびプロッターなどを有し、スキャナは、原稿を載置するコンタクトガラス１０と光学走査系で構成されており、光学走査系には、露光ランプ１１、第１ミラー１２、レンズ１５、フルカラーＣＣＤ１６等で構成されている。露光ランプ１１および第１ミラー１２を装置していて、原稿読み取り時はステッピングモータにより駆動されて一定の速度で移動する第１キャリッジと第２ミラー１３および第３ミラー１４を装備していて、原稿読み取り時にステッピングモータにより駆動されて第１キャリッジの１／２の速度で駆動する第２キャリッジを有する。
【０００３】
この第１キャリッジ、第２キャリッジによりコンタクトガラス１０上の図示しない原稿が光学的に走査され、露光ランプ１１、第１ミラー１２、第２ミラー１３、第３ミラー１４およびレンズ１５を介してＣＣＤ１６上に結像され光電変換される。ＣＣＤで赤（Ｒ）、緑（Ｇ）、青（Ｂ）の各色に分離された画像信号はＡＤ変換器によりＡＤ変換され画像処理を行っている画像処理部へ出力される。画像処理部は、ＡＤ変換器からの画像信号に主々の画像処理（２値化、多値化、変倍、編集など）を施し、デジタル信号に変換する。
【０００４】
書き込みユニットは、レーザ出力ユニット２０、ｆθレンズ２１、ミラー２２で構成され、レーザ出力ユニット２０の内部には、レーザ光源であるレーザダイオードおよびポリゴンモータが備わっている。
画像処理部から出力された黒画像信号は、画像信号に対応した強度を有するレーザ光に変換され、コリメートレンズ、アパーチャ、シリンダレンズにより一定の形状の光束に整形されポリゴンモータに照射され、レーザ出力ユニット２０から出力される。レーザ出力ユニット２０から出力されたレーザ光は、ｆθレンズ２１、ミラー２２を介して感光体ドラム３０に照射される。また、ｆθレンズ２１を通過したレーザ光は、画像領域外に配置された主走査同期検知信号ＰＭＳＹＮＣを発生するビームセンサに照射される。
【０００５】
画像処理部から出力された赤画像信号は、黒画像信号との書き込み位置を合わせるためバッファリングされ、ＬＥＤ書き込みユニット３１に送られ感光体ドラム３０に照射される。
【０００６】
ＡＤＦ１００は、原稿を１枚ずつ複写機本体１のコンタクトガラス１０へ給紙し、複写後に排紙する。原稿は原稿給紙台１０１上に積載され、サイドガイドにより幅方向が揃えられる。原稿給紙台１０１上の原稿は、一番下の原稿から給紙ローラ１０２により１枚ずつ分離して給紙され、搬送ベルト１０３により、複写機本体１のコンタクトガラス１０上に送られる。コンタクトガラス１０上の原稿は読み取り終了後、搬送ベルト１０３および排紙ローラ１０４により排紙トレイ１０５に排紙される。
【０００７】
両面の原稿を読み取る場合、原稿給紙台１０１上の両面変更は、給紙ローラ１０２により１枚ずつ分離して給紙され、搬送ベルト１０３により、複写機本体１のコンタクトガラス１０上に送られる。原稿の表面読み取り終了後、搬送ベルト１０３によって搬送され、反転爪１０６によって原稿反転後コンタクトガラス１０上に送られる。原稿の裏面読み取り終了後、搬送ベルト１０３および排紙ローラ１０４により排紙トレイ１０５に排紙される。
【０００８】
第１トレイ５０、第２トレイ３１０、第３トレイ３２０、第４トレイ３３０に積載された転写紙は、各々の第１給紙装置５１、第２給紙装置３１１、第３給紙装置３２１、第４給紙装置３３１によって給紙され、バンク縦搬送ユニット３４０および本体縦搬送ユニット６０によって搬送される。この転写紙の先端がレジストセンサ５２で検出されると一定時間搬送後、レジストローラ５３で停止する。
【０００９】
転写紙は、画像有効信号（ＦＧＡＴＥ）の先端に合わせて感光体ドラム３０上に送出され、転写チャージにより画像を転写され、感光体から転写紙を分離後、搬送装置５４により搬送され、定着ローラおよび加圧ローラを有する定着装置５５により定着され、排紙ローラ５６によって３ビンソータ２００に排紙される。
【００１０】
感光体上への画像形成は、第１帯電装置によって感光体ドラム３０上に帯電された電荷をレーザ光を照射することにより静電潜像を形成し、黒現像器３２によって感光体ドラム３０上に画像を形成する。その後、第２帯電装置により感光体ドラム３０上に再度帯電を行い、ＬＥＤアレイ３１によって２色目の静電潜像を形成し、第２現像器３３によって感光体ドラム３０上に画像を形成する。
【００１１】
両面ユニット４０を使用して両面印刷を行う場合、定着５５からの転写紙は切り替え爪５７により両面搬送路４１に導かれ、フィードローラ４２、分離コロ４３を通過して両面トレイに集積される。トレイに集積された転写紙は、トレイが上昇することによりフィードローラ４２と接触し、フィードローラ４２が回転することにより本体搬送ユニット６０に送られ、レジストローラ５３へ再給紙された後に裏面に対して印刷が行われる。
【００１２】
３ビンソータ２００には第１排紙トレイ２０１、第２排紙トレイ２０２、第３排紙トレイ２０３、反転専用トレイ２０４があり、それぞれのトレイに転写紙を反転して出力できるように構成されている。複写機本体１から排紙された転写紙は、表面排紙の場合、切り替え爪２０７によって排紙トレイ方向に導かれ、予め設定したトレイに排紙される。第２排紙トレイ２０２に排紙する場合には、第２トレイ切り替え爪２０５、第３排紙トレイ２０３に排紙する場合には、第３トレイ切り替え爪２０６がそれぞれ作動して転写紙を導く。
【００１３】
反転排紙する場合には、切り替え爪２０７によって反転トレイ２０４方向に導かれ、転写紙の後端が反転検知センサ２０８を通過すると、搬送コロ２０９が逆転し、排紙トレイ方向に導かれ、予め設定したトレイに排紙される。
また、第１排紙トレイ２０１には、トレイを前後にシフトする機能、上下にシフトする機能が搭載されている。シフト機能は、転写紙を仕分けする時に使用し、上下機能は、大量の転写紙を用紙揃え性を確保しながら積載するために使用する。
【００１４】
図５は、操作部を示した図である。
操作部４００は、液晶表示部４０１と各種テンキー４０２、クリア／ストップキー４０３、スタートキー４０４、プログラムキー４０５、ジョブリコールキー４０６、モードクリア／予熱キー４０７、割り込みキー４０８、ポーズ／リダイアルキー４０９、短縮キー４１０、受信キー４１１、ＦＡＸ切り替えキー４１２、コピー切り替えキー４１３、初期設定キー４１４、ガイダンスキー４１５、ＬＣＤ濃度調整ボリューム４１６、ＦＡＸ専用表示部４１７から構成されている。
【００１５】
操作部の中央には、４００×２５６ｄｏｔの液晶表示部（ＬＣＤ）４０１およびタッチパネルが設けられている。液晶表示部４０１には、機械に組み込まれている機能（コピー、ＦＡＸ）の表示が行われ、ユーザはこの表示に従って機械の操作を行う。機能（コピー、ＦＡＸ）の切り替えは、機能切り替えキー４１２、４１３によって行われる。
【００１６】
液晶表示部４０１の右側にはコピー、ＦＡＸで共通に使用する各種テンキー４０２、クリア／ストップキー４０３、スタートキー４０４、プログラムキー４０５、ジョブリコールキー４０６、モードクリア／予熱キー４０７、割り込みキー４０８等の各種キーと、ＦＡＸ専用で使用するポーズ／リダイアルキー４０９、短縮キー４１０、受信キー４１１等のキーが配置されている。
【００１７】
液晶表示部４０１の左側には、ＦＡＸ切り替えキー４１２、コピー切り替えキー４１３、初期設定キー４１４、ガイダンスキー４１５、ＬＣＤ濃度調整ボリューム４１６がそれぞれ設けられている。液晶表示部４０１の左側に設けられているキーのさらに左側には、ＦＡＸ専用の表示部４１７が設けられている。この表示部には、通信中、メモリーフルなどの各種ＬＥＤと、通信状態を表示する４０文字（２０文字×２行）のＬＣＤが設けられている。
【００１８】
図６は、従来の画像形成装置の制御動作を示したブロック図である。
複写機本体１の制御は、液晶表示、各種ＬＥＤ制御、各種キー入力制御を行う操作部コントローラ５００、給紙、搬送、定着、両面、プロセス制御等を行うメインコントローラ５０１、画像制御／スキャナ読み取り制御を行う画像処理コントローラ５０２、ＡＤＦ制御を行うＡＤＦコントローラ５０３、３ビンソータ制御を行うソータコントローラ５０４、給紙ユニット制御を行う給紙トレイコントローラ５０５、ＦＡＸの送受信管理、ファイル管理を行うＦＡＸコントローラ５０６、Ｇ３のプロトコル制御を行うＧ３コントローラ５０７、Ｇ４のプロトコル制御を行うＧ４コントローラ５０８、ＬＡＮ等のネットワーク制御を行うＥｔｈｅｒｎｅｔコントローラなどで構成されている。
【００１９】
さらに従来技術として以下のようなものがある。
携帯電話を装置本体に着脱可能にしたファクシミリ装置で、留守モードにするためにスイッチなどで設定しなくて済むようにする（特許文献１参照）。
【００２０】
着信時に携帯電話が装着されておらず、留守モードがセットされているときには、相手端末がファクシミリ装置であれば、ファクシミリ受信動作を行って受信画情報を蓄積し、ついで、携帯電話を呼び出して転送先のファクシミリの電話番号を通知させ、通知された転送先のファクシミリに対して、蓄積した画情報を転送するので、ユーザは、出先のファクシミリ装置で受信した画情報を受け取ることができる（特許文献２参照）。
【００２１】
【特許文献１】
特開平１０−１２６５２６号公報
【特許文献２】
特開平１０−２４３０８３号公報
【００２２】
【発明が解決しようとする課題】
画像形成装置には多くの種類があり、様々な操作キーが設けられているが、ユーザは、使いなれていない画像形成装置では、操作が困難といった状況になる。
【００２３】
本発明は係る問題に鑑みてなされたものであり、ユーザが持つ使いなれた通信端末装置で画像形成装置を制御することで、簡易な本体で容易に機能を拡張させ、可視性、操作性を共に向上させる画像形成装置を提供することを目的とする。
【００２４】
【課題を解決するための手段】
上記目的を達成するために、請求項１記載の画像形成装置は、携帯電話等の通信端末装置の装着手段を有する画像形成装置において、通信端末装置が画像形成装置に装着されたか否かを検知する検知手段と、検知手段によって通信端末装置が画像形成装置に装着されたと検知した時に、画像形成装置が制御ソフトを通信端末装置に転送する転送手段と、転送手段によって転送された制御ソフトを実行する実行手段と、実行手段によって、制御ソフトが実行されることで、画像形成装置のファクシミリ機能とネットワーク機能が有効になることを特徴とする。
【００２５】
請求項２記載の発明は、請求項１記載の画像形成装置であって、転送手段は、制御ソフトを通信端末装置に転送することで、画像形成装置の制御を通信端末装置側の主導に切り替えることを特徴とする。
【００２６】
請求項３記載の発明は、請求項１または２記載の画像形成装置であって、転送手段は、制御ソフトを通信端末装置に転送することで、通信端末装置の表示画面に制御が移ることを特徴とする。
【００２７】
請求項４記載の発明は、請求項１から３のいずれか１項に記載の画像形成装置であって、転送手段は、制御ソフトを通信端末装置に転送することで、通信端末装置の操作キーに制御が移ることを特徴とする。
【００２８】
請求項５記載の発明は、請求項４記載の画像形成装置であって、通信端末装置は、通信端末装置に記憶されている住所録といった宛先情報、通信情報等を画像形成装置に通知することで画像形成装置の操作キーの割り当てを設定することを特徴とする。
【００２９】
請求項６記載の発明は、請求項４記載の画像形成装置であって、転送手段は、コピーやスキャナ等を制御する制御ソフトを画像形成装置に装着された通信端末装置に転送することで、コピーやスキャナ等の制御を通信端末側の主導にすることを特徴とする。
【００３０】
【発明の実施の形態】
次に添付図面を参照しながら本発明の実施形態を説明する。
図１は、本発明の画像形成装置の構成を示した図である。
通信端末装置５０１を装着するための接続部５００が設けてある。通信端末装置５０１を接続部５００に置くことで、複写機本体１と接続される。従来あったアプリ切り替えキーは、通信端末装置５０１が本体に装着された時に機能が使えるようになるため、削除されている。従来あった左の部分のＦＡＸ専用部の領域も全て削除されている。これも通信端末装置５０１が、複写機本体１に装着されるとファックス機能が使えるようになり、通信端末装置５０１のキーが従来のものを代用できるため、削除している。
【００３１】
また、従来の大型の液晶表示部（ＬＣＤ）４０１から、より安価な小型の液晶表示部（ＬＣＤ）４２１に書き換えられている。これも、通信端末装置５０１が、複写機本体１に装着されるとファックス機能が使えるようになり、通信端末装置５０１の表示画面が従来のものと代用できるため、小さくしている。このようにして簡易な画像形成装置の操作部が構成される。
【００３２】
図２は、本発明の画像形成装置の制御処理を示すブロック図である。
複写機本体１の制御は、液晶表示、各種ＬＥＤ制御、各種キー入力制御を行う操作部コントローラ７０１、画像制御／スキャナ読み取り制御を行う画像処理コントローラ７０２、ＡＤＦ制御を行うＡＤＦコントローラ７０３、３ビンソータ制御を行うソータコントローラ６０４、給紙ユニット制御を行う給紙トレイコントローラ７０５、通信端末装置を装着するための接続部５００、外部との通信を行う着脱可能な通信端末装置５０１で構成される。従来あったＦＡＸコントローラ５０６は、通信端末装置が代用することになる。
【００３３】
通信端末装置５０１が装着されるとメインコントローラ７０１は、接続を確認して接続されていれば、機能を拡張するための処理を行い、ファックス制御ソフト、ネットワーク制御ソフトが起動される。
【００３４】
機能を拡張するための処理には、下記のような処理が行われる。
まず、メインコントローラ７０１が、通信端末装置５０１との接続状態を確認して、接続されていれば、通信端末装置５０１に対して、拡張する制御ソフトを接続部５００を通して転送する。複数の制御ソフトがある場合、まとめて転送しておくこともでき、最初から通信端末装置５０１に制御ソフトを入れておいてもよい。転送が終了すると通信端末装置５０１は、送られてきた制御ソフトを実行する。メインコントローラ７０１は、通信端末装置５０１からの指示（コマンド、イベントなど）を待つ。
【００３５】
通信端末装置５０１の表示画面は、制御ソフトに従って表示を行う。通信端末装置５０１のキーも、制御ソフトに従って表示を行う。通信端末装置５０１の操作となるため、専用機器を扱うより操作性が向上する。
また、通信端末装置５０１内に記憶している情報、例えば、ファックス機能の場合、宛先情報、蓄積・送信条件情報など、ネットワーク機能の場合、送信アドレス、蓄積条件情報等をメインコントローラ７０１へにも渡すことで、複写機本体１の操作部４２０のキーを使用することができる。
【００３６】
これらの情報は、通信端末装置５０１内に記憶しているため、他のデジタル複写機のどこでも同じ条件で操作できる。
通信端末装置５０１を個人ごとに持てば、認証管理や課金管理も容易に、しかも自動で（メインコントローラ７０１との接続確認時にチェックすることで）行うことができる。その場合、認証管理や課金管理を考えると、通信端末装置５０１が接続された時のみ複写機本体１が起動すればいいので、通信関連の制御ソフト（ファックス制御ソフトやネットワーク制御ソフト等）だけでなく、基本のコピー制御ソフトまで全ての制御ソフトを同様に制御することで管理を行うことができる。
すなわち、コピーを取りたい時でも、通信端末装置５０１に転送して通信端末装置５０１からの制御でコピーを取ることで、認証や課金の管理ができる。
【００３７】
図３は、本発明の画像形成装置の処理動作を示すフローチャートである。
まず通信端末装置がメインコントローラ７０１に接続されると（ステップＳ１）、メインコントローラ７０１は、制御ソフトを通信端末装置へ転送する（ステップＳ２）。制御ソフトが転送された通信端末装置は、制御ソフトを実行させ（ステップＳ３）、メインコントローラ７０１へ本体制御通知（ステップＳ４）、宛先・通信情報通知（ステップＳ５）、キー情報通知（ステップＳ６）を通知する。メインコントローラ７０１からの通知を受け取ると本体制御設定（ステップＳ７）、宛先・通信情報設定（ステップＳ８）、キー情報設定（ステップＳ９）をそれぞれ行う。
【００３８】
上記に示した処理動作は、メインコントローラ７０１へ通信端末装置を接続することで行われる。通信端末装置側で行われる制御ソフトの処理動作は（ステップＳ３からステップＳ６）、通信端末装置をメインコントローラ７０１へ接続している間は、繰り返し行われる処理動作であり、コントローラ側の通信端末装置からの制御ソフトの処理動作の通知に対する設定も（ステップＳ７からステップＳ９）、通信端末装置がメインコントローラ７０１に接続されている間は、繰り返して行われる処理動作である。
【００３９】
【発明の効果】
以上の説明から明らかなように、携帯電話等の通信端末装置の装着手段を備えることにより、通信端末装置を装着することにより、ファックス機能およびネットワーク機能が有効になることで、簡易な本体で容易に機能を拡張することができる。
【００４０】
また、通信端末装置側の表示画面に制御が移って表示することで簡易な本体で可視性を向上することができ、さらに、通信端末装置側の操作キーに制御が移って操作することで、簡易な本体で操作性を向上することができる。
【００４１】
また、制御ソフトを装着した通信端末装置側へ送信して制御を通信端末装置側に主導を切り替えることで、簡易な本体で操作性を向上することができる。
【００４２】
さらに、通信端末装置側に記憶されている住所録（宛先情報）、通信情報等を本体（画像形成装置）側へ送って本体側の操作キーの割り当てを設定することで、簡易な本体で操作性を向上することができる。
【００４３】
なお、通信機能を有する制御ソフト（ファックス、ネットワーク等）とは関係ない制御ソフト（コピー、スキャナ等）を装着した通信端末装置側へ送信して制御を通信端末装置側主導に切り替えて操作することで、簡易な本体で操作性を向上させる。
【図面の簡単な説明】
【図１】本発明の実施形態における画像形成装置の操作部を示した図である。
【図２】本発明の実施形態における画像形成装置の制御処理を示すブロック図である。
【図３】本発明の実施形態における画像形成装置の処理動作を示すフローチャートである。
【図４】従来の画像形成装置の構成を示した図である。
【図５】従来の画像形成装置の操作部の構成を示した図である。
【図６】従来の画像形成装置の制御処理を示すブロック図である。
【符号の説明】
５００  操作部コントローラ
５０１  メインコントローラ
５０２  画像処理コントローラ
５０３  ＡＤＦコントローラ
５０４  ソータコントローラ
５０５  給紙トレイコントローラ
５０６  ＦＡＸコントローラ
５０７  Ｇ３コントローラ
５０８  Ｇ４コントローラ
【図１】
2004172675.tif 000003
【図２】
2004172675.tif 000004
【図３】
2004172675.tif 000005
【図４】
2004172675.tif 000006
【図５】
2004172675.tif 000007
【図６】
2004172675.tif 000008